(57)【要約】【課題】建て枠を左右に連結して設置する工事用足場において、施工壁面が曲面である場合に、その曲率に応じて建て枠の連結角度を変えることを可能にする。【解決手段】左右に隣接する建て枠１１を左右方向軸線から僅かな角度ずらせて連結するために、第１の横架材１４に対して僅かな角度開閉可能に配置した第２の横架材１８と、建て枠前後の一方にて隣接建て枠を左右方向軸線から僅かな角度ずらせるために、第２の横架材を開閉可能にした開閉機構２０と、建て枠前後の他方にて上記僅かな角度に隣接建て枠を固定するために、第１の横架材に対して第２の横架材の間隔を調節可能に設けた角度調節機構２５を備え、角度調節機構２５として、隣接する一方の建て枠側に角度調節方向に沿って設けた複数個の調節部群と、隣接する他方の足場側に設けた上記調節部群に固定するための固定具とを設けて構成する。【選択図】          図２
2010196373.tif 000002
【特許請求の範囲】
【請求項１】
前後の柱体とそれらを結合する第１の横架材から成る建て枠を有し、上記建て枠を、結合部材を用いて結合し、左右方向へ連結することによって設置する工事用足場において、
左右に隣接する建て枠を左右方向軸線から僅かな角度ずらせて連結する手段として、第１の横架材に対して上記僅かな角度開閉可能に配置される第２の横架材と、建て枠の前後の一方にて隣接建て枠を上記左右方向軸線から僅かな角度ずらせるために、第２の横架材を開閉可能にする開閉機構と、建て枠の前後の他方にて上記僅かな角度に隣接建て枠を固定するために、第１の横架材に対して第２の横架材の間隔を調節可能に設けた角度調節機構とを備え、上記角度調節機構として、隣接する一方の建て枠側に角度調節方向に沿って設けた複数個の調節部群と、隣接する他方の足場側に設けた上記調節部群に固定するための固定具とを設けて構成した
工事用足場における連結角度の調節装置。
【請求項２】
複数個の調節部群は、穴部の列又は凹凸部の列から成る請求項１記載の工事用足場における連結角度の調節装置。
【発明の詳細な説明】
【技術分野】
【０００１】
本発明は、建て枠を左右に連結して設置する工事用足場において、施工壁面の曲率に応じて建て枠の連結角度を変えることを可能にする調節装置に関するものである。
【背景技術】
【０００２】
例えば建築現場には、施工壁面を取り囲むようにして足場が設置される。足場は、左右一対の足場建て枠を、結合部材を用いて一体的に組み合わせ、左右に必要数連結した構成になっている。ここで足場は、細長い足場板をつないで施工壁面に対して設置するので、施工壁面が平面から成る場合には足場を直線状に組めば良いので問題は何も起こらない、しかし施工壁面が例えば円形壁面のような曲面を有している場合には、足場板をその長手方向軸線が曲面に沿って折れ線を描くように配置することになる。しかし、従来の足場は直線と直角の組み合わせを前提にしており、直角以外の角度に変えるときは、特別の足場を組む必要があるが、特別の足場を組むにはあらかじめ用意されている定寸の資材では対応できない。そのため現場加工の必要も生じ、作業上余分な手間や時間を割かなければならないなど、様々な問題が出て来る。
【０００３】
これに対して特許文献上ではいくつかの技術的な提案がされており、例えば実開平５−８３１９０号は、直角以外の角度に変える足場装置を扱っている。しかしその装置は隣接する足場の角度差によって間に生じる間隙を塞ぐことが目的であり、一つの単位である足場板同士を結合することについては何も提案していない。また、実開昭５８−４４３４０号は、まさに円弧状枠組み足場を扱っており、細長鈑片と呼ばれる部材を足場用縦杆にクランプを用いて取り付け、細長鈑片に隣接受け枠を支える２個の指示部を設けてその一方が他方に対して廻動するように構成している。しかしここでも２個の指示部を設けていない反対側は何も固定されていない。そのため、従来の方式では、隣接する足場に角度差がある場合に両方とも固定したものがないので、少なくとも一方は常に動き得る状態にあるから、安全性に不安がある。
【０００４】
【特許文献１】実開平５−８３１９０号
【特許文献２】実開昭５８−４４３４０号
【発明の開示】
【発明が解決しようとする課題】
【０００５】
本発明は前記の点に着目してなされたもので、その課題は、建て枠を左右に連結して設置する工事用足場において、施工壁面が曲面である場合に、その曲率に応じて建て枠の連結角度を変えることを可能にする連結角度の調節装置を提供することである。また、本発明の他の課題は、建て枠の連結角度を直角以外の角度に変えるときに、特別の足場を組むことなく調節で対応可能として、作業時間を長引かせないようにすることである。
【課題を解決するための手段】
【０００６】
前記の課題を解決するため、本発明は、前後の柱体とそれらを結合する第１の横架材から成る建て枠を有し、上記建て枠を、結合部材を用いて結合し、左右方向へ連結することによって設置する工事用足場において、左右に隣接する建て枠を左右方向軸線から僅かな角度ずらせて連結する手段として、第１の横架材に対して上記僅かな角度開閉可能に配置される第２の横架材と、建て枠の前後の一方にて隣接建て枠を上記左右方向軸線から僅かな角度ずらせるために、第２の横架材を開閉可能にする開閉機構と、建て枠の前後の他方にて上記僅かな角度に隣接建て枠を固定するために、第１の横架材に対して第２の横架材の間隔を調節可能に設けた角度調節機構とを備え、上記角度調節機構として、隣接する一方の建て枠側に角度調節方向に沿って設けた複数個の調節部群と、隣接する他方の足場側に設けた上記調節部群に固定するための固定具とを設けて構成するという手段を講じたものである。
【０００７】
本発明における工事用足場は、建築工事、建設工事その他様々な工事を行なうための足場をその対象とする。足場は、前後の柱体とそれらを結合する第１の横架材から成る建て枠を有し、この建て枠を左右に結合部材を用いて連結することによって一体的に組み立てられている。なお、前後とは足場に向かって手前が前、向こうが後であり、左右は前後方向を基準として決める（図１、図２参照）。
【０００８】
本発明の装置は、隣接建て枠をその長手方向軸線から僅かな角度を設けて連結する手段を備えている。この連結手段は隣接建て枠を連結するものであり、連結は、以下に説明するように建て枠の前後両部分について行うので、前後の一方だけを連結して他方は連結しないという構造ではないので、構造強度のアンバランスのような問題も起こらない。
【０００９】
隣接建て枠の連結手段を構成するものの一つは、建て枠の前後の一方において、隣接建て枠を上記長手方向軸線から離すために開閉可能にする開閉機構である。開閉機構の軸側を一方の建て枠に設け、軸を受ける軸受けを他方の建て枠に設け、軸を軸受けに嵌めることで連結角度を変えられるとともに、隣接建て枠を前後一方の側にて連結する。
【００１０】
連結手段を構成するもう一つは、建て枠の前後の内の他方において、上記開閉によって開いた角度に隣接建て枠を固定する角度調節機構である。角度調節機構によって、隣接建て枠の開閉角度が一定に保持されるとともに、隣接する足場に角度差がある場合にも前後両方において固定され、安全性向上に寄与する。また、上記開閉機構部分と角度調節機構部分は第２の横架材の両端に設けられている。そして、左右（長手方向）に連結する建て枠の第１の横架材と第２の横架材に足場板を掛け止めることによって、最終的に足場として使用できるものになる。
【００１１】
上記角度調節機構は、隣接する一方の建て枠側に角度調節方向に沿って設けた複数個の調節部群と、隣接する他方の足場側に設けた上記調節部群に固定するための固定具によって構成されている。複数個の調節部群は、穴部の列から成るもの、又は例えばラックのような鋸歯状の凹凸に代表される凹部と凸部の列から成るものが望ましい。複数個の調節部群から成ることによって、各々の調節部の位置で角度調節されるため、長い溝状の調節部と異なりずれ動く恐れがない。
【００１２】
上記の構成によって、隣接建て枠を前後両位置において確固とした固定が可能になり、全ての建て枠が相互に固定されることになるから、本発明の装置によれば、構造体としての強度上も問題なく使用することができる。本発明において調節可能な隣接足場間の角度は大きいものではなく、せいぜい１０度未満を想定しているもので、強度上の要請からそれ以上の角度調節は好ましくない。
【００１３】
本発明の装置では、隣接建て枠を前後両位置において確固に固定することも主要な目的である。そして、本発明によって得られる左右方向への連結部分に、例えば転落防止板を配置するなど他の構成を追加することも自由に行える。
【発明の効果】
【００１４】
本発明は以上のように構成されかつ作用するものであるから、建て枠を左右に連結して設置する工事用足場において、施工曲面の曲がりに応じて建て枠の連結角度を変えることを可能にする調節装置を提供することができる。また、本発明の装置によれば、直角以外の角度に変えるときに特別の足場を組む必要がなく、隣接建て枠同士を連結すれば良いので、作業時間を長引かせずに足場の構築が可能である。また、本発明の装置によれば、建て枠の前後で結合するので足場の構造体としての強度向上を図ることができ、また、建て枠の前後の一方に開閉機構を備え、他方には角度調節機構を備えているので、開閉機構の位置と角度調節機構の位置とを前後入れ替えることによって、凸状の施工曲面にも凹状の施工曲面にも簡単に対応することができる。
【発明を実施するための最良の形態】
【００１５】
以下、図示の実施形態を参照して本発明をより詳細に説明する。図は本発明の工事用足場における連結角度の調節装置の一例を示すもので、図示の例は、建築物の建設現場において、施工壁面Ｗを取り囲むようにして設置される足場１０を示している。
【００１６】
図示の例における工事用足場１０は、平面形状が凸曲面から成る施工壁面Ｗに対する建築工事を行なうための足場である。足場は建て枠１１を連結して形成されており、各建て枠１１は、前後の柱体１２、１３と、それらを結合する第１の横架材１４から成る。建て枠１１は結合部材１５を用いて左右方向へ結合し、一体的に組み立てられている。なお、図における前後は足場に向かって作業者のいる手前が前Ｆ、施工曲面のある向こうが後Ｂであり、左右Ｌ、Ｒは前後方向を基準とする。図示の場合、凸状の施工曲面から成る壁面の工事を対象としているので、開閉機構を配置する側が前Ｆ、角度調節機構を配置する側が後Ｂになる（図２参照）。
【００１７】
前後の柱体１２、１３は、いわゆる鉄パイプの類から成り、通常、一定の長さを有し、上下の端部は継ぎ足しのための接続構造を兼ねている。また、第１の横架材１４は前後の柱体１２、１３を上端部にて結合しており、これによって１個の独立した建て枠１１が形成されている。結合部材１５は、足場を組むときに左右方向へ配置した上記建て枠１１を結合一体化する部材であり、端部にボルト孔等が結合のために形成された細長い部材より成り、その端部を前後の柱体１２、１３に設けられた取り付け部１６、１７に掛け止めて付属のフックにより抜け止めを行う公知の手段によって、建て枠１１同士を結合するものである。結合部材１５は、左右の建て枠１１、１１に、通常は筋交いのように交叉して取り付けられ、端部に長さ調節部材１５′を有しており、端部の長孔１５ａとそこに通すボルト１５ｂ及び締め付けナット１５ｃによって、隣接足場間隔の変化に対応することができるように構成されている。なお、パイプの最下端にはジャッキベースなどと呼ばれる高さ調整可能な台板が取り付けられる。
【００１８】
本発明の装置は、左右に隣接する建て枠１１、１１を長手方向軸線Ａ、Ａにて僅かな角度Ｂを設けて連結する手段を備えている（図３参照）。この連結手段は隣接建て枠１１、１１を上記長手方向軸線Ａ、Ａにて僅かな角度Ｂだけずらせるために回転によって開閉可能にする開閉機構２０と、開閉によって開いた角度Ｂに隣接建て枠１１、１１を固定する角度調節機構２５とを備えており、開閉機構２０と角度調節機構２５とは、夫々第２の横架材１８の両端部に設けられている。図示の例において開閉機構２０は後部に位置し、角度調節機構２５は前部に位置している。
【００１９】
開閉機構２０は、上記鉄パイプの類から成る第２の横架材１８の後方の端部に、後部縦軸１９及びナット１９ａを介して取り付けた後部取り付け部材２１を有し、後部取り付け部材２１には平面形状がほぼＬ字型の後部フック２２が設けられている。さらに、角度調節機構２５は第２の横架材１８の前方の端部に取り付けた前部取り付け部材２３を有し、また、前部取り付け部材２３にも、平面形状がほぼＬ字型の前部フック２４が設けられている。後部取り付け部材２１については後部縦軸１９回りに回転可能に設けられており、後部フック２２を横架材１４に対する交差角度をなるべく小さくして掛けることができるようになっている。
【００２０】
前部取り付け部材２３は、後述する角度調節機構２５の一部を構成するために第２の横架材１８に取り付けられた角枠状の受け部材２３ａと、受け部材２３ａに差し込んでスライドさせる調節アーム２３ｂとから構成されている。この前部取り付け部材２３は荷重を負担する部材でもあり、そのために長過ぎると強度上の負担も増すので、隣接足場間における上記長手方向軸線Ａ、Ａの交差角度は最大１０度未満好ましくは５〜６度に収まるように、調節アーム２３ｂの長さを設定することが望まれる。２２ｅ、２３ｅは各部材取り付けのための仲介部材、２３ｄは外れ止め部材をそれぞれ示す。
【００２１】
また、開閉機構２０を設けた後部取り付け部材２１には後部クランプ２６が取り付けられており、後部フック２２に掛かる荷重を分担して支えられるように設けられている。前部取り付け部材２３にも前部クランプ２７が取り付けられており、同様に前部フック２４に掛かる荷重を分担して支えられるように設けられている。後部クランプ２６及び前部クランプ２７のどちらも、開閉部材を軸結合し開閉端をそこに取り付けられているボルト、ナットのネジ作用によって柱体１２、１３に締め付けられるようにした周知のクランプを使用する。
【００２２】
上記角度調節機構２５は、隣接する一方の建て枠側に角度調節方向に沿って設けた複数個の調節部群と、隣接する他方の足場側に設けた上記調節部群に固定するための固定具によって構成されている。図１ないし図６に示されている複数個の調節部群は、前記調節アーム２３ｂに沿って設けた穴部２８の列から成るものであり、固定具として穴部２８にねじ込まれるボルト２９が、受け部材２３ａに設けられているメねじ部２３ｃにねじ込まれる。上記穴部２８は、ねじ込まれた固定具であるボルト２９の先端を受け止めるために、貫通していない穴から成り、１〜１０度程度に設定される前記角度Ｂの範囲で所定の角度に固定できるように設けられている。
【００２３】
また、上記角度調節機構２５はラックのような鋸歯状の凹凸に代表される凹部３０ａと凸部３０ｂの列から成るものも適用することができるので、その例を図７及び８に示す。この例では、凹部３０ａと凸部３０ｂの列に噛み合う突状部分３０ｃをメス部材２３ａの内部の上面に設け、受け部材２３ａのメねじ部２３ｃにねじ込んだ固定具のボルト２９の締め付けによって、上記角度に設定される前記角度Ｂの範囲で所定の角度に固定できるように設けられている。しかし、鋸歯状の凹凸であれば、固定具であるボルト２９の先端を凹部３０ｂにねじ込んで固定することも可能である。
【００２４】
上記のように構成されている本発明の工事用足場１０においては、穴部の列又は凹凸部の列から成るものの内で、どちらを採用しても複数個の調節部群から成ることによって、各々の調節部の位置で角度調節されるため、長い溝状の調節部と異なりずれ動く恐れがない。各図において、符号３１で示すものは足場板を示しており、両端に設けられているフック３２によって、隣接建て枠１１、１１の第１の横架材１４又は第２の横架材１８のどちらにも掛止めることができる。
【００２５】
上記の構成を有する本発明においては、目的とする施工壁面Ｗを取り囲むようにして、工事用足場１０を設置するために、隣接建て枠１１、１１の長手方向軸線Ａ、Ａの交差する僅かな角度Ｂに合わせて角度調節機構２５を調節し、隣接建て枠１１、１１を所定の角度ずらせて連結するとともに、その角度で配置された建て枠１１同士を、確実に連結することができる。
【００２６】
このように構成されている本発明では、建て枠の前後の一方に開閉機構を備え、他方には角度調節機構を備えているので、上記の形態に加えて、開閉機構の位置と角度調節機構の位置とを前後入れ替えることによって、凸状の施工曲面にも凹状の施工曲面にも容易に対応することができる。
【図面の簡単な説明】
【００２７】
【図１】本発明に係る工事用足場における連結角度の調節装置を適用したものを示す平面説明図である。
【図２】同上の装置の例１を分解して示す斜視図である。
【図３】同上における隣接建て枠の配置角度を誇張して示す平面図である。
【図４】同上の装置を示す平面図である。
【図５】同じく角度調整を示す平面説明図である。
【図６】図５のＶＩ−ＶＩ線断面図である。
【図７】同じく本発明の装置の例２における角度調整を示す平面説明図である。
【図８】図５のＶＩＩＩ−ＶＩＩＩ線断面図である。
【符号の説明】
【００２８】
１０  工事用足場
１１  建て枠
１２、１３  前後の柱体
１４  第１の横架材
１５  結合部材
１５′  長さ調節部材
１６  ボルト
１７  ナット
１８  第２の横架材  
１９  後部縦軸
２０  開閉機構
２１  後部取り付け部材
２２  後部フック
２３  前部取り付け部材
２４  前部フック
２５  角度調整機構
２６  後部クランプ
２７  前部クランプ
２８  穴部
２９  ボルト
３０ａ  凹部
３０ｂ  凸部
３０ｃ  突状部分
３１  足場板
３２  フック
【図１】
2010196373.tif 000003
【図２】
2010196373.tif 000004
【図３】
2010196373.tif 000005
【図４】
2010196373.tif 000006
【図５】
2010196373.tif 000007
【図６】
2010196373.tif 000008
【図７】
2010196373.tif 000009
【図８】
2010196373.tif 000010